(57)【要約】【課題】カード挿入口から挿入されてカード移動路を移動するカードの厚さ方向で対向配置される２個の磁気ヘッドを備えていても、カードの厚さ方向において、カード挿入口から挿入されて移動するカードの動きを安定させることが可能なカードリーダを提供する。【解決手段】このカードリーダは、磁気ヘッド６と、磁気ヘッド６に対向配置される磁気ヘッド７と、磁気ヘッド７に向かって磁気ヘッド６を付勢する付勢機構８と、磁気ヘッド６に向かって磁気ヘッド７を付勢する付勢機構９とを備えている。磁気ヘッド６の磁気ギャップ６ａは、カード移動路４を移動するカード２の移動方向において、磁気ヘッド７の磁気ギャップ７ａよりもカード挿入口側に配置されている。また、付勢機構８による磁気ヘッド６の付勢力は、付勢機構９による磁気ヘッド７の付勢力よりも大きくなっている。【選択図】図３
2020057045.tif 000002
【特許請求の範囲】
【請求項１】
カードが挿入されるカード挿入口と、前記カード挿入口から挿入された前記カードが移動するカード移動路と、前記カード移動路を移動する前記カードの厚さ方向の一方側から前記カード移動路に臨む第１磁気ヘッドと、前記カードの厚さ方向の他方側から前記カード移動路に臨むとともに前記第１磁気ヘッドに対向配置される第２磁気ヘッドと、前記第２磁気ヘッドに向かって前記第１磁気ヘッドを付勢する第１付勢機構と、前記第１磁気ヘッドに向かって前記第２磁気ヘッドを付勢する第２付勢機構とを備え、
前記第１磁気ヘッドの磁気ギャップは、前記カード移動路を移動する前記カードの移動方向において、前記第２磁気ヘッドの磁気ギャップよりも前記カード挿入口側に配置され、
前記第１付勢機構による前記第１磁気ヘッドの付勢力は、前記第２付勢機構による前記第２磁気ヘッドの付勢力よりも大きくなっていることを特徴とするカードリーダ。
【請求項２】
前記カードの移動方向を前後方向とすると、
前記カードは、後ろ側に向かって前記カード挿入口に挿入されるとともに、前側に向かって前記カード挿入口から抜き取られ、
前記カードが前記カードリーダに取り込まれて停止しているときに、前記カードの前端は、前記第２磁気ヘッドの前記磁気ギャップより後ろ側に配置されるとともに、前記カードの前端部は、前記第１磁気ヘッドと前記第２磁気ヘッドとの間に挟まれていることを特徴とする請求項１記載のカードリーダ。
【請求項３】
前記第１付勢機構は、前記第１磁気ヘッドが固定されるヘッド固定部材と、前記ヘッド固定部材を支持する支持部材と、前記ヘッド固定部材を付勢するバネ部材とを備え、
前記第１磁気ヘッドは、前記ヘッド固定部材を介して前記支持部材に片持ち支持されていることを特徴とする請求項１または２記載のカードリーダ。
【請求項４】
前記第１付勢機構は、前記第１磁気ヘッドが固定されるヘッド固定部材と、前記ヘッド固定部材を支持する支持部材と、前記ヘッド固定部材を付勢するバネ部材とを備え、
前記ヘッド固定部材は、前記第１磁気ヘッドが固定されるヘッド固定部と、前記支持部材に支持されるとともに前記バネ部材に付勢される被支持部とを備え、
前記被支持部には、前記カードの厚さ方向への前記被支持部の変形を抑制する補強用のリブが形成されていることを特徴とする請求項１から３のいずれかに記載のカードリーダ。
【請求項５】
前記第２磁気ヘッドの前記磁気ギャップの近傍にセラミックス製のヘッド摩耗抑制部が形成され、
前記第１磁気ヘッドの前記磁気ギャップは、前記カードの厚さ方向において、前記ヘッド摩耗抑制部と対向していることを特徴とする請求項１から４のいずれかに記載のカードリーダ。
【請求項６】
前記第１磁気ヘッドの前記磁気ギャップの近傍にセラミックス製の第２ヘッド摩耗抑制部が形成され、
前記第２磁気ヘッドの前記磁気ギャップは、前記カードの厚さ方向において、前記第２ヘッド摩耗抑制部と対向していることを特徴とする請求項１から５のいずれかに記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、カードに記録された磁気データを読み取るための手動式のカードリーダが知られている（たとえば、特許文献１参照）。特許文献１に記載のカードリーダは、カード挿通溝と、カード挿通溝の両壁に対向して配置される２個の磁気ヘッドとを備えている。カード挿通溝を通過するカードの通過方向において、２個の磁気ヘッドは互いにずれた位置に配置されている。磁気ヘッドは、カード挿通溝の外側に配置される板バネに保持されている。
【先行技術文献】
【特許文献】
【０００３】
【特許文献１】特開２０１２−１９０５１８号公報
【発明の概要】
【発明が解決しようとする課題】
【０００４】
特許文献１に記載のカードリーダでは、カードの通過方向において、２個の磁気ヘッドが互いにずれた位置に配置されているため、カード挿通溝に挿入されて一方の磁気ヘッドに接触したカードの先端部がその後、他方の磁気ヘッドに接触したときに、一方の磁気ヘッドがカードの厚さ方向に大きく動いて、カードの厚さ方向におけるカードの動きが不安定になるおそれがある。すなわち、特許文献１のカードリーダでは、カードの厚さ方向において、カード挿通溝に挿入されて移動するカードの動きが不安定になるおそれがある。また、カードの厚さ方向におけるカードの動きが不安定になると、カードに記録された磁気データの読取り性能が低下するおそれがある。
【０００５】
そこで、本発明の課題は、カード挿入口から挿入されてカード移動路を移動するカードの厚さ方向で対向配置される２個の磁気ヘッドを備えていても、カードの厚さ方向において、カード挿入口から挿入されて移動するカードの動きを安定させることが可能なカードリーダを提供することにある。
【課題を解決するための手段】
【０００６】
上記の課題を解決するため、本発明のカードリーダは、カードが挿入されるカード挿入口と、カード挿入口から挿入されたカードが移動するカード移動路と、カード移動路を移動するカードの厚さ方向の一方側からカード移動路に臨む第１磁気ヘッドと、カードの厚さ方向の他方側からカード移動路に臨むとともに第１磁気ヘッドに対向配置される第２磁気ヘッドと、第２磁気ヘッドに向かって第１磁気ヘッドを付勢する第１付勢機構と、第１磁気ヘッドに向かって第２磁気ヘッドを付勢する第２付勢機構とを備え、第１磁気ヘッドの磁気ギャップは、カード移動路を移動するカードの移動方向において、第２磁気ヘッドの磁気ギャップよりもカード挿入口側に配置され、第１付勢機構による第１磁気ヘッドの付勢力は、第２付勢機構による第２磁気ヘッドの付勢力よりも大きくなっていることを特徴とする。
【０００７】
本発明のカードリーダでは、カードの移動方向において、第１磁気ヘッドの磁気ギャップは、第２磁気ヘッドの磁気ギャップよりもカード挿入口側に配置されており、第１付勢機構による第１磁気ヘッドの付勢力は、第２付勢機構による第２磁気ヘッドの付勢力よりも大きくなっている。そのため、本発明では、カード挿入口から挿入されて第１磁気ヘッドに接触したカードの先端部がその後、第２磁気ヘッドに接触しても、カードの厚さ方向の一方側への第１磁気ヘッドの動きを抑制することが可能になる。
【０００８】
すなわち、本発明では、カード挿入口から挿入されて第１磁気ヘッドに接触したカードの先端部がその後、第２磁気ヘッドに接触しても、カードの厚さ方向において動きが抑制された第１磁気ヘッドに沿ってカードを移動させることが可能になる。したがって、本発明では、カードの厚さ方向で対向配置される２個の磁気ヘッドをカードリーダが備えていても、カードの厚さ方向において、カード挿入口から挿入されて移動するカードの動きを安定させることが可能になる。
【０００９】
本発明において、たとえば、カードの移動方向を前後方向とすると、カードは、後ろ側に向かってカード挿入口に挿入されるとともに、前側に向かってカード挿入口から抜き取られ、カードがカードリーダに取り込まれて停止しているときに、カードの前端は、第２磁気ヘッドの磁気ギャップより後ろ側に配置されるとともに、カードの前端部は、第１磁気ヘッドと第２磁気ヘッドとの間に挟まれている。
【００１０】
この場合には、カードがカードリーダに取り込まれて停止しているときに、カードの前端が第２磁気ヘッドの磁気ギャップより後ろ側に配置されているため、カードリーダに取り込まれて停止しているカードを前側に移動させるときに、まず、第２磁気ヘッドにカードの厚さ方向の他方側への力が作用するが、本発明では、第２付勢機構による第２磁気ヘッドの付勢力が第１付勢機構による第１磁気ヘッドの付勢力よりも小さくなっているため、第２磁気ヘッドにカードの厚さ方向の他方側への力が作用したときに、第２磁気ヘッドがカードの厚さ方向の他方側へ動きやすくなる。したがって、カードリーダに取り込まれて停止しているカードを前側に移動させるときにカードを移動させやすくなる。
【００１１】
また、この場合には、カードがカードリーダに取り込まれて停止しているときにカードの前端部が第１磁気ヘッドと第２磁気ヘッドとの間に挟まれているため、カードがカードリーダに取り込まれて停止しているときに、第２磁気ヘッドは、カードリーダにカードが挿入されていない待機時よりもカードの厚さ方向の他方側に配置されている。したがって、カードリーダに取り込まれて停止しているカードを前側に移動させたときの、カードの厚さ方向の他方側への第２磁気ヘッドの移動量を小さくすることが可能になる。その結果、カードリーダに取り込まれて停止しているカードを前側に移動させて、たとえば、カードに記録された磁気データを第２磁気ヘッドで読み取るときの、カードの厚さ方向におけるカードの動きが不安定になりにくくなる。
【００１２】
本発明において、たとえば、第１付勢機構は、第１磁気ヘッドが固定されるヘッド固定部材と、ヘッド固定部材を支持する支持部材と、ヘッド固定部材を付勢するバネ部材とを備え、第１磁気ヘッドは、ヘッド固定部材を介して支持部材に片持ち支持されている。
【００１３】
この場合には、カードの厚さ方向に第１磁気ヘッドが動いたときに、カードの移動方向において第１磁気ヘッドの磁気ギャップの位置がずれやすくなるが、本発明では、カード挿入口から挿入されて第１磁気ヘッドに接触したカードの先端部がその後、第２磁気ヘッドに接触しても、カードの厚さ方向の一方側への第１磁気ヘッドの動きを抑制することが可能になるため、第１磁気ヘッドが支持部材に片持ち支持されていても、カードの移動方向における第１磁気ヘッドの磁気ギャップの位置のずれを抑制することが可能になる。
【００１４】
本発明において、第１付勢機構は、第１磁気ヘッドが固定されるヘッド固定部材と、ヘッド固定部材を支持する支持部材と、ヘッド固定部材を付勢するバネ部材とを備え、ヘッド固定部材は、第１磁気ヘッドが固定されるヘッド固定部と、支持部材に支持されるとともにバネ部材に付勢される被支持部とを備え、被支持部には、カードの厚さ方向への被支持部の変形を抑制する補強用のリブが形成されていることが好ましい。このように構成すると、補強用のリブによって、カードの厚さ方向の一方側への第１磁気ヘッドの動きを効果的に抑制することが可能になる。
【００１５】
本発明において、第２磁気ヘッドの磁気ギャップの近傍にセラミックス製のヘッド摩耗抑制部が形成され、第１磁気ヘッドの磁気ギャップは、カードの厚さ方向において、ヘッド摩耗抑制部と対向していることが好ましい。このように構成すると、カードの厚さ方向で対向配置される第１磁気ヘッドと第２磁気ヘッドとが接触しても、第１磁気ヘッドで読み取られる磁気データにノイズが発生するのを抑制することが可能になる。
【００１６】
本発明において、第１磁気ヘッドの磁気ギャップの近傍にセラミックス製の第２ヘッド摩耗抑制部が形成され、第２磁気ヘッドの磁気ギャップは、カードの厚さ方向において、第２ヘッド摩耗抑制部と対向していることが好ましい。このように構成すると、カードの厚さ方向で対向配置される第１磁気ヘッドと第２磁気ヘッドとが接触しても、第２磁気ヘッドで読み取られる磁気データにノイズが発生するのを抑制することが可能になる。
【発明の効果】
【００１７】
以上のように、本発明のカードリーダでは、カード挿入口から挿入されてカード移動路を移動するカードの厚さ方向で対向配置される２個の磁気ヘッドを備えていても、カードの厚さ方向において、カード挿入口から挿入されて移動するカードの動きを安定させることが可能になる。
【図面の簡単な説明】
【００１８】
【図１】本発明の実施の形態にかかるカードリーダの斜視図である。
【図２】図１に示すカードリーダを別の角度から示す斜視図である。
【図３】図１に示す第１磁気ヘッド、第１付勢機構および図２に示す第２磁気ヘッド、第２付勢機構の構成を説明するための側面図である。
【図４】図３に示す第１磁気ヘッドおよびヘッド固定部材の斜視図である。
【図５】図３に示す第２磁気ヘッドの平面図である。
【図６】図１に示すカードリーダにカードが取り込まれて停止している状態を説明するための側面図である。
【発明を実施するための形態】
【００１９】
以下、図面を参照しながら、本発明の実施の形態を説明する。
【００２０】
（カードリーダの全体構成）
図１は、本発明の実施の形態にかかるカードリーダ１の斜視図である。図２は、図１に示すカードリーダ１を別の角度から示す斜視図である。図３は、図１、図２に示す磁気ヘッド６、７および付勢機構８、９の構成を説明するための側面図である。
【００２１】
本形態のカードリーダ１は、カード２に記録された磁気データの読取りやカード２への磁気データの記録を行う装置である。具体的には、カードリーダ１は、カードリーダ１へのカード２の挿入とカードリーダ１からのカード２の抜取りとを手動で行って磁気データの読取りや記録を行ういわゆるディップ式のカードリーダである。すなわち、カードリーダ１は、手動式のカードリーダである。
【００２２】
カード２は、たとえば、厚さが０．７〜０．８ｍｍ程度の矩形状の塩化ビニール製のカードである。カード２には、磁気データが記録される磁気ストライプが形成されている。具体的には、カード２の両面に磁気ストライプが形成されている。なお、カード２にＩＣチップが内蔵されていても良い。また、カード２は、厚さが０．１８〜０．３６ｍｍ程度のＰＥＴ（ポリエチレンテレフタレート）カードや、所定の厚さの紙カード等であっても良い。
【００２３】
カードリーダ１には、カード２が挿入されるカード挿入口３が形成されている（図１参照）。また、カードリーダ１には、カード挿入口３から挿入されたカード２が移動するカード移動路４が形成されている。カードリーダ１は、カード挿入口３およびカード移動路４が形成される本体フレーム５と、本体フレーム５を覆うケース体（図示省略）とを備えている。また、カードリーダ１は、カード２に記録された磁気データの読取りおよびカード２への磁気データの記録の少なくともいずれか一方を行う２個の磁気ヘッド６、７を備えている。本形態の磁気ヘッド６は、第１磁気ヘッドであり、磁気ヘッド７は、第２磁気ヘッドである。
【００２４】
さらに、カードリーダ１は、磁気ヘッド６を付勢する第１付勢機構としての付勢機構８と、磁気ヘッド７を付勢する第２付勢機構としての付勢機構９と、カードリーダ１の制御回路が実装される回路基板１０と、磁気ヘッド６、７と回路基板１０とを電気的に接続するフレキシブルプリント基板（ＦＰＣ（Ｆｌｅｘｉｂｌｅ  ｐｒｉｎｔｅｄ  ｃｉｒｃｕｉｔｓ））１１とを備えている。以下の説明では、フレキシブルプリント基板１１を「ＦＰＣ１１」とする。
【００２５】
本形態では、手動で操作されるカード２は、図１等に示すＸ方向に移動する。すなわち、Ｘ方向は、カード移動路４を移動するカード２の移動方向である。また、カード２は、Ｘ方向の一方側であるＸ１方向側に向かってカード挿入口３に挿入されるとともに、Ｘ方向の他方側であるＸ２方向側に向かってカード挿入口３から抜き取られる。また、Ｘ方向に直交する図１等のＺ方向は、カード移動路４を移動するカード２の厚さ方向であり、Ｘ方向とＺ方向とに直交する図１等のＹ方向は、カード移動路４を移動するカード２の幅方向（短手幅方向）である。
【００２６】
以下の説明では、カード２の移動方向であるＸ方向を前後方向とする。また、Ｙ方向を左右方向とし、Ｚ方向を上下方向とする。また、カードリーダ１へのカード２の挿入方向側であるＸ１方向側を「後ろ」側とし、カードリーダ１からのカード２の抜取り方向側であるＸ２方向側を「前」側とする。また、左右方向の一方側であるＹ１方向側を「右」側とし、左右方向の他方側であるＹ２方向側を「左」側とし、上下方向の一方側であるＺ１方向側を「上」側とし、上下方向の他方側であるＺ２方向側を「下」側とする。
【００２７】
本体フレーム５は、上下方向に分割される上フレーム１５と下フレーム１６とから構成されている。上フレーム１５は、本体フレーム５の上側部分を構成し、下フレーム１６は、本体フレーム５の下側部分を構成している。カード移動路４は、上フレーム１５と下フレーム１６との間に形成されている。上フレーム１５および下フレーム１６は、樹脂で形成されている。具体的には、上フレーム１５は、導電性を有する導電性樹脂で形成され、下フレーム１６は、導電性を有しない絶縁性の樹脂で形成されている。本形態では、上フレーム１５は、本体フレーム５のフレームグランドになっている。
【００２８】
また、本体フレーム５は、カードリーダ１に挿入されたカード２の後端側部分が収容されるカード収容部５ａと、磁気ヘッド６、７が配置されるヘッド配置部５ｂと、カード挿入口３から挿入されたカード２を案内するためのカード案内部５ｃとを備えている。ヘッド配置部５ｂおよびカード案内部５ｃは、カード収容部５ａよりも前側に配置されている。ヘッド配置部５ｂおよびカード案内部５ｃと、カード収容部５ａとの間には、鍔状に広がる鍔部５ｄが形成されている。ヘッド配置部５ｂおよびカード案内部５ｃは、鍔部５ｄから前側へ突出している。ヘッド配置部５ｂとカード案内部５ｃとは、左右方向において間隔をあけた状態で形成されている。本形態では、ヘッド配置部５ｂが右側に配置され、カード案内部５ｃが左側に配置されている。
【００２９】
磁気ヘッド６、７は、ヘッド配置部５ｂの前端側に取り付けられている。磁気ヘッド６は、上側からカード移動路４に臨むように配置されている。磁気ヘッド７は、下側からカード移動路４に臨むように配置されている。具体的には、磁気ヘッド６は、磁気データの読取り位置である磁気ヘッド６の磁気ギャップ６ａが上側からカード移動路４に臨むように配置され、磁気ヘッド７は、磁気データの読取り位置である磁気ヘッド７の磁気ギャップ７ａが下側からカード移動路４に臨むように配置されている。
【００３０】
磁気ヘッド６と磁気ヘッド７とは、左右方向において略同じ位置に配置されており、上下方向で対向している。すなわち、磁気ヘッド７は、磁気ヘッド６に対向配置されている。図３に示すように、磁気ヘッド６と磁気ヘッド７とは、前後方向において互いにずれた位置に配置されている。具体的には、磁気ヘッド６の磁気ギャップ６ａが、磁気ヘッド７の磁気ギャップ７ａよりも前側に配置されている。すなわち、磁気ギャップ６ａは、前後方向において、磁気ギャップ７ａよりもカード挿入口３側に配置されている。磁気ヘッド６、７の具体的な構成については後述する。
【００３１】
回路基板１０は、略長方形の平板状に形成されたリジッド基板である。回路基板１０は、上フレーム１５の上面に固定されている。また、回路基板１０は、カード収容部５ａの上面に固定されている。上述のように、ＦＰＣ１１は、磁気ヘッド６、７と回路基板１０とを電気的に接続している。すなわち、回路基板１０には、ＦＰＣ１１を介して磁気ヘッド６、７が電気的に接続されている。また、回路基板１０には、共通のＦＰＣ１１を介して２個の磁気ヘッド６、７が電気的に接続されている。
【００３２】
ＦＰＣ１１は、所定形状に折り曲げられた状態で本体フレーム５に沿って引き回されている。ＦＰＣ１１は、一端側が回路基板１０に繋がる帯状の共通基板部１１ａと、一端側が磁気ヘッド６に繋がるとともに他端が共通基板部１１ａの他端に繋がる帯状の第１基板部１１ｂと、一端側が磁気ヘッド７に繋がるとともに他端が共通基板部１１ａの他端に繋がる帯状の第２基板部１１ｃとから構成されている。すなわち、ＦＰＣ１１は、共通基板部１１ａの他端から分岐する２個の第１基板部１１ｂおよび第２基板部１１ｃを備えている。共通基板部１１ａの一端部は、回路基板１０に実装されるコネクタ１７に差し込まれている（図１参照）。
【００３３】
（磁気ヘッドおよび付勢機構の構成）
図４は、図３に示す磁気ヘッド６およびヘッド固定部材２２の斜視図である。図５は、図３に示す磁気ヘッド７の平面図である。図６は、図１に示すカードリーダ１にカード２が取り込まれて停止している状態を説明するための側面図である。
【００３４】
磁気ヘッド６は、磁気ギャップ６ａが形成されるコアと、コアに巻回されるコイルと、コイルの端部が接続される棒状の端子６ｂと、コアおよびコイルが収容されるヘッドケース６ｃとを備えている。本形態の磁気ヘッド６は、２本の端子６ｂを備えている。上述のように、磁気ヘッド６は、磁気ギャップ６ａが上側からカード移動路４に臨むように配置されており、端子６ｂは、磁気ヘッド６の上端側に配置されている。端子６ｂは、端子６ｂの長手方向と上下方向とが略一致するように配置されている。
【００３５】
端子６ｂの大半部分は、ヘッドケース６ｃに収容されているが、端子６ｂの上端部は、ヘッドケース６ｃから上側に突出している。すなわち、端子６ｂの上端は、ヘッドケース６ｃの上端よりも上側に配置されている。端子６ｂには、第１基板部１１ｂの一端側が接続されている。具体的には、第１基板部１１ｂの一端側は、２本の端子６ｂに半田付けされて固定されており、端子６ｂに電気的に接続されている。
【００３６】
端子６ｂは、樹脂封止部材１８によって覆われている（図４参照）。樹脂封止部材１８は、磁気ヘッド６の上面の全体を覆うように磁気ヘッド６の上面側に盛られており、第１基板部１１ｂの一端側の、端子６ｂに半田付けされた部分も樹脂封止部材１８によって覆われている。樹脂封止部材１８は、たとえば、不透明なエポキシ樹脂である。なお、磁気ヘッド６の上面側に樹脂封止部材１８が塗布された後に第１基板部１１ｂの一部分が樹脂封止部材１８の上側を覆うように、第１基板部１１ｂの一端側は折り返されている。
【００３７】
磁気ヘッド７は、磁気ヘッド６と同様に、磁気ギャップ７ａが形成されるコアと、コアに巻回されるコイルと、コイルの端部が接続される棒状の端子と、コアおよびコイルが収容されるヘッドケース７ｃとを備えている。上述のように、磁気ヘッド７は、磁気ギャップ７ａが下側からカード移動路４に臨むように配置されており、磁気ヘッド７の端子は、磁気ヘッド７の下端側に配置されている。磁気ヘッド７では、端子の全体がヘッドケース７ｃの中に収容されている。
【００３８】
磁気ヘッド７の端子には、第２基板部１１ｃの一端側が半田付けされて固定されており、第２基板部１１ｃの一端側は、磁気ヘッド７の端子に電気的に接続されている。磁気ヘッド７の端子は、樹脂封止部材１８と同様の樹脂封止部材によって覆われている。具体的には、ヘッドケース７ｃの内部に樹脂封止部材が充填されており、第２基板部１１ｃの一端側の、磁気ヘッド７の端子に半田付けされた部分も樹脂封止部材によって覆われている。
【００３９】
図５に示すように、磁気ヘッド７の磁気ギャップ７ａの近傍には、磁気ヘッド７の摩耗を抑制するためのセラミックス製のヘッド摩耗抑制部７ｄが形成されている。具体的には、磁気ギャップ７ａを前後方向で挟む２個のヘッド摩耗抑制部７ｄが磁気ヘッド７に形成されている。ヘッド摩耗抑制部７ｄは、左右方向を長手方向とする直線状に形成されている。磁気ヘッド６の磁気ギャップ６ａは、上下方向において、ヘッド摩耗抑制部７ｄと対向している。具体的には、磁気ヘッド６の磁気ギャップ６ａは、磁気ギャップ７ａの前側に配置されるヘッド摩耗抑制部７ｄと隙間を介して上下方向で対向している。
【００４０】
付勢機構８は、下側に向かって磁気ヘッド６を付勢している。すなわち、付勢機構８は、下側から磁気ヘッド６に対向する磁気ヘッド７に向かって磁気ヘッド６を付勢している。付勢機構９は、上側に向かって磁気ヘッド７を付勢している。すなわち、付勢機構９は、上側から磁気ヘッド７に対向する磁気ヘッド６に向かって磁気ヘッド７を付勢している。
【００４１】
付勢機構８は、磁気ヘッド６が固定されるヘッド固定部材２２と、ヘッド固定部材２２を支持する支持部材としての支持ピン２３と、ヘッド固定部材２２を付勢するバネ部材としての圧縮コイルバネ２４とを備えている。本形態の付勢機構８は、２本の支持ピン２３を備えている。ヘッド固定部材２２は、薄鋼板を所定形状に折り曲げることで形成されている。本形態のヘッド固定部材２２は、ステンレス鋼製の薄板で形成された板バネである。ヘッド固定部材２２は、磁気ヘッド６が固定されるヘッド固定部２２ａと、支持ピン２３に支持されるとともに圧縮コイルバネ２４に付勢される被支持部２２ｂとから構成されている。
【００４２】
被支持部２２ｂは、ヘッド固定部２２ａの後ろ側に配置されており、被支持部２２ｂの前端は、ヘッド固定部２２ａの後端に繋がっている。図４に示すように、被支持部２２ｂは、前後方向を長手方向とする長方形の平板状に形成される平板部２２ｃを備えている。平板部２２ｃは、平板部２２ｃの厚さ方向と上下方向とが略一致するように配置されている。平板部２２ｃには、支持ピン２３の一部を構成する後述の軸部２３ａが挿通される２個の貫通穴２２ｄが形成されている。貫通穴２２ｄは、上下方向で平板部２２ｃを貫通している。２個の貫通穴２２ｄは、前後方向に間隔をあけた状態で形成されている。また、貫通穴２２ｄは、平板部２２ｃの左右の中心位置に形成されている。
【００４３】
被支持部２２ｂには、被支持部２２ｂの上下方向の変形を抑制する補強用のリブ２２ｅが形成されている。リブ２２ｅは、左右方向における平板部２２ｃの両端面から上側に向かって立ち上がっている。また、リブ２２ｅは、前後方向を長手方向とする長方形の平板状に形成されており、リブ２２ｅの厚さ方向と左右方向とが略一致するように配置されている。リブ２２ｅは、前後方向における被支持部２２ｂの全域に形成されている。
【００４４】
ヘッド固定部２２ａは、長方形の枠状に形成されている。ヘッド固定部２２ａには、磁気ヘッド６の上端部が固定されている。ヘッド固定部２２ａは、磁気ヘッド６のヘッドケース６ｃに接触している。上述のように、磁気ヘッド６の上面側には、磁気ヘッド６の上面の全体を覆うように樹脂封止部材１８が盛られている。ヘッド固定部２２ａには、樹脂封止部材１８を囲む囲み部２２ｆが形成されている。すなわち、ヘッド固定部材２２には、樹脂封止部材１８を囲む囲み部２２ｆが形成されている。
【００４５】
囲み部２２ｆの上端は、ヘッドケース６ｃの上端よりも上側に配置されている。本形態では、ヘッド固定部２２ａの、ヘッドケース６ｃの上端よりも上側に配置される部分が囲み部２２ｆとなっている。また、囲み部２２ｆの上端は、端子６ｂの上端よりも上側に配置されている。なお、囲み部２２ｆの上端は、上下方向において端子６ｂの上端と同じ位置に配置されていても良いし、端子６ｂの上端より下側に配置されていても良い。
【００４６】
囲み部２２ｆは、ヘッドケース６ｃの前側に配置される平板状の前面部２２ｇと、ヘッドケース６ｃの後ろ側に配置される平板状の後面部２２ｈと、ヘッドケース６ｃの左右の両側に配置される平板状の側面部２２ｊとから構成されており、上下方向から見たときに、樹脂封止部材１８を全周に亘って囲んでいる。前面部２２ｇは、前面部２２ｇの厚さ方向と前後方向とが略一致するように配置され、後面部２２ｈは、後面部２２ｈの厚さ方向と前後方向とが略一致するように配置されている。側面部２２ｊは、側面部２２ｊの厚さ方向と左右方向とが一致するように配置されている。
【００４７】
側面部２２ｊは、リブ２２ｅに繋がっており、左右方向においてリブ２２ｅと同じ位置に配置されている。また、平板部２２ｃの前端に繋がるとともに上側に向かって直角に折り曲げられた平板状の部分の上端側部分が後面部２２ｈとなっている。また、図４（Ａ）に示すように、たとえば、左側に配置される側面部２２ｊの前端に繋がるとともに右側に向かって直角に折り曲げられた平板状の部分の上端側部分が前面部２２ｇとなっている。
【００４８】
なお、図４（Ｂ）に示すように、ヘッド固定部２２ａの左右の側面部の下端の先端部同士を繋ぐ平板状の接続部２２ｋがヘッド固定部２２ａに形成されていて、接続部２２ｋの後端に繋がるとともに上側に向かって直角に折り曲げられた平板状の部分の上端側部分が前面部２２ｇとなっていても良い。接続部２２ｋは、接続部２２ｋの厚さ方向と前後方向とが略一致するように配置されている。
【００４９】
囲み部２２ｆの一部分は、磁気ヘッド６を本体フレーム５のフレームグランド（すなわち、上フレーム１５）に接続するためのフレームグランド端子２２ｐ（以下、「ＦＧ端子２２ｐ」とする。）となっている。たとえば、右側に配置される側面部２２ｊの一部分がＦＧ端子２２ｐとなっている。ＦＧ端子２２ｐは、前後方向における側面部２２ｊの略中心位置に配置されている。ＦＧ端子２２ｐの前後の両側には、スリットが形成されている。
【００５０】
なお、ＦＧ端子２２ｐは、磁気ヘッド６の上面に向かって略直角に折り曲げられた後、ＦＰＣ１１の第１基板部１１ｂの一端側に半田付けされて固定されている。ＦＰＣ１１には、フレームグランド用パターン配線が形成されており、ＦＧ端子２２ｐは、ＦＰＣ１１のフレームグランド用パターン配線に電気的に接続されている。ＦＰＣ１１のフレームグランド用パターン配線は、上フレーム１５に電気的に接続されている。また、樹脂封止部材１８を磁気ヘッド６の上面に塗布するときには、硬化前の樹脂封止部材１８が、ＦＧ端子２２ｐが形成された箇所からヘッド固定部材２２の外側に流れ出ないように、ＦＧ端子２２ｐが形成された箇所はマスキングされている。
【００５１】
支持ピン２３は、上フレーム１５に固定されている。２本の支持ピン２３は、前後方向に間隔をあけた状態で配置されている。２本の支持ピン２３は、ヘッド固定部材２２を下側から支持している。支持ピン２３は、ヘッド固定部材２２の貫通穴２２ｄに挿通される軸部２３ａと、被支持部２２ｂを下側から支持する支持部２３ｂとから構成されている。支持部２３ｂの下端部は、上フレーム１５に固定されている。
【００５２】
２本の支持ピン２３は、ヘッド固定部材２２を介して磁気ヘッド６を支持している。上述のように、被支持部２２ｂは、ヘッド固定部２２ａの後ろ側に配置されており、２本の支持ピン２３は、磁気ヘッド６よりも後ろ側に配置されている。すなわち、本形態では、磁気ヘッド６は、ヘッド固定部材２２を介して２本の支持ピン２３に片持ち支持されている。磁気ヘッド６は、２本の支持ピン２３に対して前後方向を揺動の軸方向とする揺動が可能となっている。
【００５３】
圧縮コイルバネ２４には、２本の支持ピン２３のうちの前側に配置される支持ピン２３の軸部２３ａが挿入されている。圧縮コイルバネ２４の下端は、ヘッド固定部材２２の平板部２２ｃの上面に接触している。具体的には、圧縮コイルバネ２４の下端は、前後方向におけるヘッド固定部材２２の略中心位置で平板部２２ｃの上面に接触している。圧縮コイルバネ２４の上端は、上フレーム１５に固定されるバネ保持部材２５に接触している。圧縮コイルバネ２４は、ヘッド固定部材２２を下側に付勢している。すなわち、圧縮コイルバネ２４は、ヘッド固定部材２２をカード移動路４側に付勢している。
【００５４】
本形態では、磁気ヘッド６とＦＰＣ１１と樹脂封止部材１８とヘッド固定部材２２とによって磁気ヘッド機構２７（図１参照）が構成されている。
【００５５】
付勢機構９は、磁気ヘッド７が固定されるヘッド固定部材３１と、ヘッド固定部材３１を支持する支持ピン３２と、ヘッド固定部材３１を付勢する圧縮コイルバネ３３とを備えている。本形態の付勢機構９は、２本の支持ピン３２を備えている。ヘッド固定部材３１は、ステンレス鋼板等の薄鋼板を所定形状に折り曲げることで形成された板バネである。ヘッド固定部材３１は、磁気ヘッド７が固定されるヘッド固定部３１ａと、２本の支持ピン３２のうちの一方の支持ピン３２に支持されるとともに圧縮コイルバネ３３に付勢される被支持部３１ｂと、他方の支持ピン３２に支持される被支持部３１ｃとから構成されている。
【００５６】
被支持部３１ｂは、ヘッド固定部３１ａの前側に配置され、被支持部３１ｃは、ヘッド固定部３１ａの後ろ側に配置されている。被支持部３１ｂ、３１ｃは、平板状に形成されており、被支持部３１ｂ、３１ｃの厚さ方向と上下方向とが略一致するように配置されている。ヘッド固定部３１ａには、磁気ヘッド７の下端部が固定されている。支持ピン３２は、ピン固定板３４に固定されている。ピン固定板３４は、下フレーム１６に固定されている。
【００５７】
２本の支持ピン３２は、ヘッド固定部材３１を下側から支持している。支持ピン３２は、被支持部３１ｂ、３１ｃの左右方向の中心位置に形成された貫通穴に挿通される軸部３２ａと、被支持部３１ｂ、３１ｃを下側から支持する支持部３２ｂとから構成されている。支持部３２ｂの下端部は、ピン固定板３４に固定されている。２本の支持ピン３２は、ヘッド固定部材３１を介して磁気ヘッド７を支持している。すなわち、磁気ヘッド７は、ヘッド固定部材３１を介して２本の支持ピン３２に両持ち支持されている。磁気ヘッド７は、２本の支持ピン３２に対して前後方向を揺動の軸方向とする揺動が可能となっている。
【００５８】
圧縮コイルバネ３３には、磁気ヘッド７の前側に配置される支持ピン３２が挿通されている。圧縮コイルバネ３３の下端は、ピン固定板３４の上面に接触している。圧縮コイルバネ３３の上端は、被支持部３１ｂの下面に接触している。圧縮コイルバネ３３は、ヘッド固定部材３１を上側に付勢している。すなわち、圧縮コイルバネ３３は、ヘッド固定部材３１をカード移動路４側に付勢している。なお、本形態では、下フレーム１６に形成または固定されるストッパ部材によってヘッド固定部材３１の上側への移動が規制されており、カードリーダ１にカード２が挿入されていない待機時においても、上下方向で対向配置される磁気ヘッド６と磁気ヘッド７とは接触していない。
【００５９】
付勢機構８による磁気ヘッド６の付勢力は、付勢機構９による磁気ヘッド７の付勢力よりも大きくなっている。そのため、カード挿入口３から挿入されたカード２が磁気ヘッド６と磁気ヘッド７との間を通過するときには、図３の二点鎖線で示すように、磁気ヘッド７は、付勢機構９の付勢力に抗して下側へ動くが、磁気ヘッド６は、上側へ動かない。
【００６０】
また、本形態では、カード２がカードリーダ１に取り込まれて停止しているときに、図６に示すように、カード２の前端は、磁気ヘッド７の磁気ギャップ７ａより後ろ側に配置されるとともに、カード２の前端部は、磁気ヘッド６と磁気ヘッド７との間に挟まれている。上述のように、付勢機構８による磁気ヘッド６の付勢力が付勢機構９による磁気ヘッド７の付勢力よりも大きくなっているため、このときには、磁気ヘッド７は、カードリーダ１にカード２が挿入されていない待機時よりも下側に移動している（図６の二点鎖線参照）。
【００６１】
（本形態の主な効果）
以上説明したように、本形態では、磁気ヘッド６の磁気ギャップ６ａは、前後方向において、磁気ヘッド７の磁気ギャップ７ａよりもカード挿入口３側に配置されている。また、本形態では、付勢機構８による磁気ヘッド６の付勢力が付勢機構９による磁気ヘッド７の付勢力よりも大きくなっており、カード２が磁気ヘッド６と磁気ヘッド７との間を通過するときに、磁気ヘッド７は下側へ動くが、磁気ヘッド６は上側へ動かない。すなわち、本形態では、カード挿入口３から挿入されて磁気ヘッド６に接触したカード２の後端部がその後、磁気ヘッド７に接触しても、磁気ヘッド６は上側へ動かない。
【００６２】
そのため、本形態では、カード挿入口３から挿入されて磁気ヘッド６に接触したカード２の後端部がその後、磁気ヘッド７に接触しても、上側に動かない磁気ヘッド６に沿ってカード２を移動させることが可能になる。したがって、本形態では、上下方向で対向配置される２個の磁気ヘッド６、７をカードリーダ１が備えていても、カード挿入口３から挿入されて移動するカード２の上下方向の動きを安定させることが可能になる。
【００６３】
また、本形態では、ヘッド固定部材２２の被支持部２２ｂに、被支持部２２ｂの上下方向の変形を抑制する補強用のリブ２２ｅが形成されているため、カード挿入口３から挿入されて磁気ヘッド６に接触したカード２の後端部がその後、磁気ヘッド７に接触したときの、磁気ヘッド６の上側への動きを確実に規制することが可能になる。したがって、本形態では、上下方向で対向配置される２個の磁気ヘッド６、７をカードリーダ１が備えていても、カード挿入口３から挿入されたカード２の上下方向の動きをより安定させることが可能になる。
【００６４】
本形態では、カード２がカードリーダ１に取り込まれて停止しているときに、カード２の前端は、磁気ヘッド７の磁気ギャップ７ａより後ろ側に配置されている。そのため、本形態では、カードリーダ１に取り込まれて停止しているカード２を前側に移動させるときに、まず、磁気ヘッド７に下側への力が作用するが、本形態では、付勢機構９による磁気ヘッド７の付勢力が付勢機構８による磁気ヘッド６の付勢力よりも小さくなっているため、磁気ヘッド７に下側への力が作用したときに、磁気ヘッド７が下側へ動きやすくなる。したがって、本形態では、カードリーダ１に取り込まれて停止しているカード２を前側に移動させるときにカード２を移動させやすくなる。
【００６５】
また、本形態では、カード２がカードリーダ１に取り込まれて停止しているときに、カード２の前端は、磁気ヘッド７の磁気ギャップ７ａより後ろ側に配置されるとともに、カード２の前端部は、磁気ヘッド６と磁気ヘッド７との間に挟まれており、磁気ヘッド７は、カードリーダ１にカード２が挿入されていない待機時よりも下側に移動している。そのため、本形態では、カードリーダ１に取り込まれて停止しているカード２を前側に移動させたときの、磁気ヘッド７の下側への移動量を小さくすることが可能になる。したがって、本形態では、カードリーダ１に取り込まれて停止しているカード２を前側に移動させて、たとえば、カード２に記録された磁気データを磁気ヘッド７で読み取るときの、上下方向におけるカード２の動きが不安定になりにくくなる。
【００６６】
本形態では、磁気ヘッド６は、ヘッド固定部材２２を介して２本の支持ピン２３に片持ち支持されている。磁気ヘッド６が片持ち支持されていると、磁気ヘッド６が上側に動いたときに、前後方向において磁気ヘッド６の磁気ギャップ６ａの位置がずれやすくなるが、本形態では、カード挿入口３から挿入されて磁気ヘッド６に接触したカード２の後端部がその後、磁気ヘッド７に接触しても、磁気ヘッド６は上側へ動かない。そのため、本形態では、磁気ヘッド６が片持ち支持されていても、前後方向における磁気ギャップ６ａの位置のずれを抑制することが可能になる。
【００６７】
本形態では、磁気ヘッド６の磁気ギャップ６ａは、上下方向において、ヘッド摩耗抑制部７ｄと対向している。そのため、本形態では、上下方向で対向配置される磁気ヘッド６と磁気ヘッド７とが万が一接触しても、磁気ヘッド６で読み取られる磁気データにノイズが発生するのを抑制することが可能になる。
【００６８】
（他の実施の形態）
上述した形態は、本発明の好適な形態の一例ではあるが、これに限定されるものではなく本発明の要旨を変更しない範囲において種々変形実施が可能である。
【００６９】
上述した形態において、磁気ヘッド７の磁気ギャップ７ａが、前後方向において、磁気ヘッド６の磁気ギャップ６ａよりもカード挿入口３側に配置されていても良い。この場合には、付勢機構９による磁気ヘッド７の付勢力が付勢機構８による磁気ヘッド６の付勢力よりも大きくなっており、カード２が磁気ヘッド６と磁気ヘッド７との間を通過するときに、磁気ヘッド６は上側へ動くが、磁気ヘッド７は下側へ動かない。すなわち、この場合には、カード挿入口３から挿入されて磁気ヘッド７に接触したカード２の後端部がその後、磁気ヘッド６に接触しても、磁気ヘッド７は下側へ動かない。
【００７０】
そのため、この場合には、カード挿入口３から挿入されて磁気ヘッド７に接触したカード２の後端部がその後、磁気ヘッド６に接触しても、下側に動かない磁気ヘッド７に沿ってカード２を移動させることが可能になる。したがって、この場合には、上下方向で対向配置される２個の磁気ヘッド６、７をカードリーダ１が備えていても、カード挿入口３から挿入されたカード２の上下方向における動きを安定させることが可能になる。なお、この場合の磁気ヘッド７は第１磁気ヘッドであり、磁気ヘッド６は第２磁気ヘッドであり、付勢機構９は第１付勢機構であり、付勢機構８は第２付勢機構である。
【００７１】
上述した形態において、磁気ヘッド６の磁気ギャップ６ａの近傍に、磁気ヘッド６の摩耗を抑制するためのセラミックス製の第２ヘッド摩耗抑制部が形成されていても良い。具体的には、磁気ギャップ６ａを前後方向で挟む２個の第２ヘッド摩耗抑制部が磁気ヘッド６に形成されていても良い。この場合には、磁気ヘッド７の磁気ギャップ７ａは、上下方向において、第２ヘッド摩耗抑制部と対向している。具体的には、磁気ギャップ７ａは、磁気ギャップ６ａの後ろ側に配置される第２ヘッド摩耗抑制部と隙間を介して上下方向で対向している。
【００７２】
この場合には、上下方向で対向配置される磁気ヘッド６と磁気ヘッド７とが万が一接触しても、磁気ヘッド７で読み取られる磁気データにノイズが発生するのを抑制することが可能になる。なお、上述した形態において、磁気ヘッド７にヘッド摩耗抑制部７ｄが形成されていなくても良い。
【００７３】
上述した形態において、磁気ヘッド６は、ヘッド固定部材２２を介して２本の支持ピン２３に両持ち支持されていても良い。また、上述した形態において、磁気ヘッド７は、ヘッド固定部材３１を介して２本の支持ピン３２に片持ち支持されていても良い。また、上述した形態において、カード２がカードリーダ１に取り込まれて停止しているときに、カード２の前端部が磁気ヘッド６と磁気ヘッド７との間に挟まれていなくても良い。
【００７４】
上述した形態において、ＦＧ端子２２ｐに代えて、ヘッド固定部材２２と別体で形成されたＦＧ端子が磁気ヘッド６に固定されていても良い。また、上述した形態において、磁気ヘッド６の端子６ｂの全体がヘッドケース６ｃの中に収容されていても良い。この場合には、ヘッド固定部２２ａに囲み部２２ｆが形成されていない。さらに、上述した形態において、リブ２２ｅは、前後方向における被支持部２２ｂの一部に形成されていても良い。また、被支持部２２ｂにリブ２２ｅが形成されていなくても良い。また、上述した形態において、カードリーダ１は、カード２を自動で搬送するカード搬送機構を有するカード搬送式のカードリーダであっても良い。
【符号の説明】
【００７５】
１  カードリーダ
２  カード
３  カード挿入口
４  カード移動路
６  磁気ヘッド（第１磁気ヘッド）
６ａ  磁気ギャップ
７  磁気ヘッド（第２磁気ヘッド）
７ａ  磁気ギャップ
７ｄ  ヘッド摩耗抑制部
８  付勢機構（第１付勢機構）
９  付勢機構（第２付勢機構）
２２  ヘッド固定部材
２２ａ  ヘッド固定部
２２ｂ  被支持部
２２ｅ  リブ
２３  支持ピン（支持部材）
２４  圧縮コイルバネ（バネ部材）
Ｘ  前後方向、カードの移動方向
Ｘ１  後ろ側
Ｘ２  前側
Ｚ  カードの厚さ方向
【図１】
2020057045.tif 000003
【図２】
2020057045.tif 000004
【図３】
2020057045.tif 000005
【図４】
2020057045.tif 000006
【図５】
2020057045.tif 000007
【図６】
2020057045.tif 000008